(57)【要約】【課題】利用環境に応じて監視カメラによる監視期間を制御することができる画像形成装置を提供する。【解決手段】画像形成した画像を印刷物としてトレイに出力する画像形成装置１であって、温度を検出する温度検出部９と、監視対象時間帯及び監視対象温度帯が設定された監視条件設定情報６２を記憶する記憶部６と、トレイに出力された印刷物を撮像する監視カメラ２０による監視期間を監視条件設定情報６２に基づいて決定する監視期間決定部１２と、を具備し、監視期間決定部１２は、監視対象時間帯から外れても、温度検出部９によって検出された温度が監視対象温度帯である場合、監視カメラ２０による監視を継続させる。【選択図】図１
2019147288.tif 000002
【特許請求の範囲】
【請求項１】
画像形成した画像を印刷物としてトレイに出力する画像形成装置であって、
温度を検出する温度検出部と、
監視対象時間帯及び監視対象温度帯が設定された監視条件設定情報を記憶する監視条件記憶部と、
前記トレイに出力された前記印刷物を撮像する監視カメラによる監視期間を前記監視条件設定情報に基づいて決定する監視期間決定部と、を具備し、
前記監視期間決定部は、監視対象時間帯から外れても、前記温度検出部によって検出された温度が前記監視対象温度帯である場合、前記監視カメラによる監視を継続させることを特徴とする画像形成装置。
【請求項２】
前記監視期間決定部は、前記監視対象時間帯であっても、前記温度検出部によって検出された温度が前記監視対象温度帯でない場合、前記監視カメラによる監視を停止させることを特徴とする請求項１記載の画像形成装置。
【請求項３】
前記温度検出部によって検出された過去所定期間の温度変化を示す温度変化情報を記憶する温度変化記憶部を具備し、
前記温度変化情報に前記監視対象温度帯を逸脱する期間がない場合、前記監視期間決定部は、監視対象時間帯から外れると、前記温度検出部によって検出された温度が前記監視対象温度帯であっても、前記監視カメラによる監視を停止させることを特徴とする請求項１又は２記載の画像形成装置。
【発明の詳細な説明】
【技術分野】
【０００１】
本発明は、画像形成した画像を印刷物としてトレイに出力する画像形成装置に関する。
【背景技術】
【０００２】
複写機やＭＦＰ（Multifunction Peripheral / Printer / Product）等の画像形成装置では、出力した印刷物の不慮の持ち去り等を監視するために、画像形成装置に搭載又は部屋に設置している監視カメラを利用する技術が提案されている（例えば、特許文献１参照）。特許文献１では、人が印刷を行うと監視カメラが画像形成装置近傍の撮影を開始し、画像形成装置がトレイの印刷物が除去されたことを検知すると、監視カメラが撮影を停止する。
【先行技術文献】
【特許文献】
【０００３】
【特許文献１】特開２００８−１９７１５２号公報
【発明の概要】
【発明が解決しようとする課題】
【０００４】
しかしながら、従来技術では、トレイの印刷物が除去されない状態で放置されると、室内に誰もいない夜間等でも、監視カメラの撮影が継続される。この場合、録画データサイズが膨大となり、保存できなくなる恐れがある。
【０００５】
本発明は、上記問題点を鑑みてなされたものであり、その目的とするところは、利用環境に応じて監視カメラによる監視期間を制御することができる画像形成装置を提供することを目的とする。
【課題を解決するための手段】
【０００６】
本発明の画像形成装置は、画像形成した画像を印刷物としてトレイに出力する画像形成装置であって、温度を検出する温度検出部と、監視対象時間帯及び監視対象温度帯が設定された監視条件設定情報を記憶する監視条件記憶部と、前記トレイに出力された前記印刷物を撮像する監視カメラによる監視期間を前記監視条件設定情報に基づいて決定する監視期間決定部と、を具備し、前記監視期間決定部は、監視対象時間帯から外れても、前記温度検出部によって検出された温度が前記監視対象温度帯である場合、前記監視カメラによる監視を継続させることを特徴とする。
【発明の効果】
【０００７】
本発明によれば、画像形成装置に搭載している温度検出部によって検出される温度を利用し、画像形成装置を設置した部屋にユーザーが在席していると思われる期間では、監視カメラによる監視を継続させることができ、利用環境に応じて監視カメラによる監視期間を制御することができるという効果を奏する。
【図面の簡単な説明】
【０００８】
【図１】本発明に係る画像形成装置の実施の形態の概略構成を示すブロック図である。
【図２】図1に示す記憶部に記憶される監視条件設定情報例及び温度変化情報例を示す図である。
【図３】図１に示す温度判定部による利用環境判定動作を説明するフローチャートである。
【図４】図１に示す監視期間決定部による監視期間決定動作説明するフローチャートである。
【発明を実施するための形態】
【０００９】
以下、図を参照して本発明の実施の形態を詳細に説明する。なお、以下の実施形態において、同様の機能を示す構成には、同一の符号を付してある。
【００１０】
本実施の形態の画像形成装置１は、監視カメラ２０によって撮像された映像を蓄積する機能を備えた複写機やＭＦＰ（Multifunction Peripheral / Printer / Product）等であり、図１を参照すると、操作部２と、原稿読取部３と、画像処理部４と、画像形成部５と、記憶部６と、ファクシミリ部７と、通信部８と、温度検出部９と、制御部１０とを備えている。
【００１１】
操作部２は、画像形成装置１の設定や動作指示を行う各種操作キーやタッチパネル等で構成されている。
【００１２】
原稿読取部３は、図示しない原稿給紙装置により給紙されてきた原稿や、ユーザーによってプラテンガラスに載置された原稿に対して光を照射し、その反射光等を受光して原稿画像を読み取るスキャナーである。
【００１３】
画像処理部４は、ＣＰＵ（Central Processing Unit）、ＲＯＭ（Read Only Memory）、ＲＡＭ（Random Access Memory）等を備えたマイクロコンピュータ等の演算処理回路であり、例えば、拡大縮小処理、濃度調整処理、階調調整処理等の画像処理に係る各種ジョブを実行する。
【００１４】
画像形成部５は、例えば、感光体ドラムと、帯電部、露光部と、現像部と、転写部と、クリーニング部と、定着部とからなる画像形成部を備え、形成した画像を記録紙に記録する。
【００１５】
記憶部６は、半導体メモリやＨＤＤ（Hard Disk Drive）等の記憶手段であり、原稿読取部３によって読み取られた文書データ、ファクシミリ部７や通信部８によって受信された文書データが蓄積される記憶手段である。
【００１６】
また、記憶部６には、監視カメラ２０によって撮像された映像が監視データ６１として蓄積されると共に、監視条件設定情報６２と、温度変化情報６３とが記憶されている。
【００１７】
監視条件設定情報６２は、監視カメラ２０によって撮像する監視期間を決定するための情報であり、図２（ａ）に示すように、監視対象時間帯と、監視対象温度帯と、出力後監視時間とが設定されている。監視対象時間帯は、監視開始時刻と監視終了時刻とからなり、例えば、就業時間等に設定される。監視対象時間帯は、年間スケジュールに応じて曜日ごとに設定するようにしても良い。監視対象温度帯は、下限温度と上限温度とからなり、例えば、画像形成装置１が設置された部屋の空調設定温度を中心とした温度帯に設定される。出力後監視時間は、印刷物の出力後に監視カメラ２０によって撮像する監視時間であり、印刷物の種類に応じて設定するようにしても良い。
【００１８】
温度変化情報６３は、図２（ｂ）〜（ｄ）に示すように、温度検出部９によって検出された過去所定期間の温度変化を示す情報である。図２において、（ｂ）は夏の温度変化例を、（ｃ）は冬の温度変化例を、（ｄ）は春秋の温度変化例をそれぞれ示している。温度変化情報６３は、温度検出部９によって検出された温度によって逐次更新される。
【００１９】
ファクシミリ部７は、モデムを有し、原稿読取部３によって読み取られた画像データ等からＦＡＸ信号を生成し、生成したＦＡＸ信号を電話回線網等のネットワーク３０を介して送信するＦＡＸ送信機能と、ネットワーク３０を介してＦＡＸ信号を受信し、受信したＦＡＸ信号からＦＡＸ文書を生成するＦＡＸ受信機能とを備えている。
【００２０】
通信部８は、ＬＡＮ、インターネット等のネットワーク４０を介して、監視カメラ２０との間でデータの送受信を行う機能を有する。
【００２１】
温度検出部９は、画像形成装置１の周辺温度を検出する温度計である。
【００２２】
また、上述の操作部２、原稿読取部３、画像処理部４、画像形成部５、記憶部６、ファクシミリ部７、通信部８及び温度検出部９は、制御部１０に接続され、制御部１０によって動作制御される。
【００２３】
制御部１０は、ＣＰＵ（Central Processing Unit）、ＲＯＭ（Read Only Memory）、ＲＡＭ（Random Access Memory）等を備えたマイクロコンピュータ等の演算処理回路である。ＲＯＭには画像形成装置１の動作制御を行うための制御プログラムが記憶されている。制御部１０のＣＰＵ、ＲＯＭに記憶されている制御プログラムを読み出し、制御プログラムをＲＡＭに展開させることで、各種指示情報に応じて装置全体の制御を行う。
【００２４】
また、制御部１０は、温度検出部９によって検出された温度と、監視条件設定情報６２と、温度変化情報６３とに基づいて利用環境を判定する温度判定部１１として機能する。
【００２５】
さらに、制御部１０は、温度判定部１１による判定結果と、監視条件設定情報６２とに基づいて監視期間を決定する監視期間決定部１２として機能する。
【００２６】
次に、温度判定部１１による利用環境判定動作について図３を参照して詳細に説明する。
【００２７】
温度検出部９は、所定時間（例えば、１分）毎に画像形成装置１の周辺温度を検出する（ステップＳ１０１）。すると、温度検出部９によって検出された温度によって温度変化情報６３が更新される。
【００２８】
次に、温度判定部１１は、温度変化情報６３に、監視条件設定情報６２に設定された監視対象温度帯（２０℃〜２５度）を逸脱する期間があるか否かを判断する（ステップＳ１０２）。図２において、（ｂ）の夏の温度変化と、（ｃ）に示す冬の温度変化とでは、監視対象温度帯（２０℃〜２５度）を逸脱する期間があるためステップＳ１０２でＹｅｓと判断され、（ｄ）は春秋の温度変化では、監視対象温度帯（２０℃〜２５度）を逸脱する期間がないためステップＳ１０２でＹｅｓと判断される。
【００２９】
ステップＳ１０２でＹｅｓと判断されると、温度判定部１１は、温度検出部９によって検出された現在温度が監視対象温度帯（２０℃〜２５度）か否かを判断する（ステップＳ１０３）。
【００３０】
ステップＳ１０３でＹｅｓ、すなわち現在温度が監視対象温度帯（２０℃〜２５度）である場合、温度判定部１１は、部屋に誰か在席して空調が使用されていると判断する。これにより、温度判定部１１は、部屋に在席している誰かが画像形成装置１を利用できる環境にあると判定し、在席判定を監視期間決定部１２に通知し（ステップＳ１０４）、利用環境判定動作を終了する。
【００３１】
ステップＳ１０３でＮｏ、すなわち現在温度が監視対象温度帯（２０℃〜２５度）でない場合、温度判定部１１は、部屋に誰も在席しておらず空調が使用されていないと判断する。これにより、温度判定部１１は、誰かが画像形成装置１を利用できる環境にないと判定し、不在判定を監視期間決定部１２に通知し（ステップＳ１０５）、利用環境判定動作を終了する。
【００３２】
ステップＳ１０２でＮｏと判断されると、温度判定部１１は、温度に基づく利用環境判定ができないと判断して、判定不能を監視期間決定部１２に通知し（ステップＳ１０６）、利用環境判定動作を終了する。これにより、温度が検出される毎に、在席判定、不在判定もしくは判定不能のいずれかが判定結果として温度判定部１１から監視期間決定部１２に通知されることになる。
【００３３】
次に、監視期間決定部１２による監視期間決定動作について図４を参照して詳細に説明する。
【００３４】
印刷ジョブが実行され、印刷物が出力されると（ステップＳ２０１）、監視期間決定部１２は、監視カメラ２０による監視を開始させる（ステップＳ２０２）。ステップＳ２０２において、監視期間決定部１２は、監視カメラ２０に対してネットワーク４０経由で撮影開始を指示する。これにより、監視カメラ２０によって撮像された映像は、記憶部６に監視データ６１として蓄積される。
【００３５】
次に、監視期間決定部１２は、監視条件設定情報６２に設定された出力後監視時間の経過を待機する（ステップＳ２０３）。これにより、印刷物が出力された後、少なくとも出力後監視時間が経過するまでは監視が継続されることになる。
【００３６】
ステップＳ２０３で出力後監視時間が経過すると、監視期間決定部１２は、現在時刻が監視条件設定情報６２に設定された監視対象時間帯か否かを判断する（ステップＳ２０４）。
【００３７】
ステップＳ２０４で監視対象時間帯である場合、監視期間決定部１２は、監視条件設定情報６２の監視対象時間帯に設定された監視対象終了時刻への到達を待機すると共に（ステップＳ２０５）、温度判定部１１からの不在判定の通知を待機する（ステップＳ２０６）。これにより、監視対象時間帯に印刷物が出力された後、温度判定部１１からの不在判定の通知がない場合、少なくとも監視対象終了時刻までは監視が継続されることになる。
【００３８】
ステップＳ２０４で監視対象時間帯でない場合と、ステップＳ２０５で監視対象終了時刻に到達して監視対象時間帯から外れた場合とには、監視期間決定部１２は、温度判定部１１から通知された判断結果が在席判定か否かを判断する（ステップＳ２０７）。
【００３９】
ステップＳ２０７で判定結果が在席判定でなく判定不能もしくは不在判定である場合、監視期間決定部１２は、監視カメラ２０による監視を終了させ（ステップＳ２０８）、監視期間決定動作を終了する。ステップＳ２０８で監視期間決定部１２は、監視カメラ２０に対してネットワーク４０経由で撮影開始を指示する。これにより、監視カメラ２０によって撮像された映像は、記憶部６に監視データ６１として蓄積される。監視カメラ２０に対してネットワーク４０経由で撮影終了を指示する。これにより、監視カメラ２０による撮像は停止され、記憶部６への蓄積も停止する。
【００４０】
ステップＳ２０７で判定結果が在席判定である場合、監視期間決定部１２は、温度判定部１１からの不在判定の通知を待機する（ステップＳ２０９）。
【００４１】
ステップＳ２０６で不在判定が通知されると、ステップＳ２０８に至って監視カメラ２０による監視を終了させる。これにより、監視対象時間帯であっても、不在判定が通知されると、監視が停止されることになる。
【００４２】
また、ステップ２０９で不在判定が通知されると、ステップＳ２０８に至って監視カメラ２０による監視を終了させる。これにより、監視対象時間帯から外れても、在室判定されている間は、監視が継続されることになる。
【００４３】
なお、ステップＳ２０１の印刷物が出力は、割り込み処理であり、監視カメラ２０による監視中に印刷物が出力されると、ステップＳ２０３に戻って以降のステップが実行される。
【００４４】
また、本実施の形態において、監視対象温度帯を細分化し、細分化して温度帯毎に監視データ６１を蓄積しても良い。この場合、記憶部６が監視データ６１でいっぱいになると、監視対象温度帯の上下限ギリギリのデータから順に削除することができる。さらに、監視対象温度帯から外れて監視カメラ２０による監視を停止させた場合、停止直前にはすでにユーザーが退席している可能性が高い。そこで、停止直前の温度の立ち上がり（夏）もしくは立ち下がり（冬）の監視データ６１を選んで削除することができる。
【００４５】
以上説明したように、本実施の形態によれば、画像形成した画像を印刷物としてトレイに出力する画像形成装置１であって、温度を検出する温度検出部９と、監視対象時間帯及び監視対象温度帯が設定された監視条件設定情報６２を記憶する記憶部６と、トレイに出力された印刷物を撮像する監視カメラ２０による監視期間を監視条件設定情報６２に基づいて決定する監視期間決定部１２と、を具備し、監視期間決定部１２は、監視対象時間帯から外れても、温度検出部９によって検出された温度が監視対象温度帯である場合、監視カメラ２０による監視を継続させる。
この構成により、画像形成装置１に搭載している温度検出部９によって検出される温度を利用し、画像形成装置１を設置した部屋にユーザーが在席していると思われる期間では、監視カメラ２０による監視を継続させることができ、利用環境に応じて監視カメラ２０による監視期間を制御することができる。
【００４６】
さらに、本実施の形態において、監視期間決定部１２は、監視対象時間帯であっても、温度検出部９によって検出された温度が監視対象温度帯でない場合、監視カメラ２０による監視を停止させる。
この構成により、画像形成装置１に搭載している温度検出部９によって検出される温度を利用し、画像形成装置１を設置した部屋にユーザーが在席していないと思われる期間では、監視カメラ２０による監視を停止させることができ、利用環境に応じて監視カメラ２０による監視期間を制御することができる。これにより、保存するデータサイズを抑制することができる。
【００４７】
さらに、本実施の形態は、温度検出部９によって検出された過去所定期間の温度変化を示す温度変化情報６３を記憶する記憶部６を備え、温度変化情報６３に監視対象温度帯を逸脱する期間がない場合、監視期間決定部１２は、監視対象時間帯から外れると、温度検出部９によって検出された温度が監視対象温度帯であっても、監視カメラ２０による監視を停止させる。
この構成により、温度によってユーザーの在席を判断できない春秋の季節を判断することができ、春秋の季節では、監視対象時間帯によって監視カメラ２０による監視期間を制御することができる。
【００４８】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００４９】
１  画像形成装置
２  操作部
３  原稿読取部
４  画像処理部
５  画像形成部
６  記憶部
７  ファクシミリ部
８  通信部
９  温度検出部
１０  制御部
１１  温度判定部
１２  監視期間決定部
２０  監視カメラ
３０、４０  ネットワーク
６１  監視データ
６２  監視条件設定情報
６３  温度変化情報
【図１】
2019147288.tif 000003
【図２】
2019147288.tif 000004
【図３】
2019147288.tif 000005
【図４】
2019147288.tif 000006